(57)【要約】【課題】電子番組ガイドサービス等の各種サービスを利用する際に、サービス内容をテレビ画面に表示させることなく、手元にあるリモコン上に表示させながら各種設定等を行うことにより各種サービスを受けることができる双方向リモコン装置を実現することを目的とする。【解決手段】被制御装置を介してコンテンツ情報を受信するための受信部１３と、受信部で受信したコンテンツ情報に基づきその内容を表示するための表示部１６と、表示部に表示された情報に基づき操作者が選択指示するための入力部１７と、入力部の入力情報に基づき被制御装置を操作するための操作情報を送信する送信部１２と、受信部と表示部と送信部を制御する制御部１５とから構成されている。【選択図】図１
2004266799.tif 000002
【特許請求の範囲】
【請求項１】
被制御装置を双方向無線通信で制御するための双方向リモコン装置であって、前記被制御装置を介してコンテンツ情報を受信するための受信部と、前記受信部で受信した前記コンテンツ情報に基づきその内容を表示するための表示部と、前記表示部に表示された情報に基づき操作者が選択指示するための入力部と、前記入力部の入力情報に基づき前記被制御装置を操作するための操作情報を送信する送信部と、前記受信部と前記表示部と前記送信部を制御する制御部とを備え、操作者が前記表示部に表示されたコンテンツ情報の中から所望のコンテンツを選択指示することにより、前記表示部にその所望のコンテンツの内容を文字情報または静止画または動画またはそれらの組み合わせ情報として表示させることができることを特徴とする双方向リモコン装置。
【請求項２】
被制御装置がデジタル放送受信装置、コンテンツ情報が電子番組ガイドを作成するために必要な番組配列情報、コンテンツが放送番組、あるいはビデオ・オン・デマンドにより配信される情報であるとともに、前記電子番組ガイドの中から所望の放送番組が選択された際に、その選択された放送番組の動画が少なくとも表示部の一部または全体に表示されることを特徴とする請求項１に記載の双方向リモコン装置。
【請求項３】
被制御装置がデジタル放送受信装置、コンテンツ情報が前記被制御装置側で作成された電子番組ガイドの静止画、コンテンツが放送番組であるとともに、前記電子番組ガイドの中から所望の放送番組が選択された際に、その選択された放送番組の動画が少なくとも表示部の一部または全体に表示されることを特徴とする請求項１に記載の双方向リモコン装置。
【請求項４】
被制御装置がデジタル放送受信装置、コンテンツ情報がデータ放送番組ガイド、コンテンツがデータ放送番組であるとともに、前記データ放送番組ガイドの中から所望のデータ放送番組が選択された際に、その選択されたデータ放送番組が少なくとも表示部の一部または全体に表示されることを特徴とする請求項１に記載の双方向リモコン装置。
【請求項５】
被制御装置が録画再生装置、コンテンツ情報が前記録画再生装置に用いられる記録媒体に記録された動画内容の目次情報、コンテンツが前記目次情報に対応した動画であるとともに、前記目次情報の中から所望の項目が選択された際に、その選択された項目に対応する動画が表示部の一部または全体に表示されることを特徴とする請求項１に記載の双方向リモコン装置。
【請求項６】
録画再生装置が、ビデオ録画再生装置またはハードディスク録画再生装置または光ディスク録画再生装置のいずれかであることを特徴とする請求項５に記載の双方向リモコン装置。
【請求項７】
双方向無線通信手段としてＢｌｕｅｔｏｏｔｈまたは８０２．１１ｂまたは８０２．１１ａまたは８０２．１１ｇまたはＺｉｇＢｅｅのいずれかを用いたことを特徴とする請求項１に記載の双方向リモコン装置。
【請求項８】
コンテンツ情報として所望位置に配設された１つまたは複数のカメラ装置に関する情報を有し、操作者の選択指示により所望のカメラ装置からの映像が表示部の一部または全体に表示されるとともに、所望位置のカメラ装置のアングル制御またはズーム制御またはピント制御を行わせることを特徴とする請求項１に記載の双方向リモコン装置。
【請求項９】
表示部にコンテンツ情報または選択されたコンテンツが表示されている際に、前記表示部の一部または全体にＣＭ情報が文字情報または静止画または動画またはそれらの組み合わせで定期的にまたは連続して表示されることを特徴とする請求項１に記載の双方向リモコン装置。
【請求項１０】
操作者の選択によりＣＭ情報の表示を拒否することができることを特徴とする請求項９に記載の双方向リモコン装置。
【請求項１１】
コンテンツ情報として無料のサービス情報または有料のサービス情報が含まれることを特徴とする請求項１に記載の双方向リモコン装置。
【請求項１２】
被制御装置を双方向無線通信で制御するための双方向リモコン装置であって、前記被制御装置を介してコンテンツ情報を受信するための受信部と、前記受信部で受信した前記コンテンツ情報に基づきその内容を表示するための表示部と、前記表示部に表示された情報に基づき操作者が選択指示するための入力部と、前記入力部の入力情報に基づき前記被制御装置を操作するための操作情報を送信する送信部と、前記受信部と前記表示部と前記送信部を制御する制御部とを備え、操作者がリモコン装置に触れた際に、あるいは操作者がリモコン装置を操作した際に、前記表示部に前記コンテンツ情報の内容が表示されることを特徴とする双方向リモコン装置。
【請求項１３】
コンテンツ情報がビデオ・オン・デマンド（ＶＯＤ）であり、表示部にその内容が文字情報または静止画または動画またはそれらの組み合わせ情報として表示されることを特徴とする請求項１２に記載の双方向リモコン装置。
【請求項１４】
表示部で表示される内容に応じて音声が出力できることを特徴とする請求項１３に記載の双方向リモコン装置。
【請求項１５】
音声出力のオン・オフおよび音声出力の制御が可能であることを特徴とする請求項１４に記載の双方向リモコン装置。
【請求項１６】
表示部にコンテンツ情報の内容が表示されてから所定時間経過後、または操作者による最後のリモコン操作から所定時間経過後、前記表示部での表示を停止する、または異なる表示内容に切り替えることを特徴とする請求項１５に記載の双方向リモコン装置。
【請求項１７】
操作者が表示部に表示されている内容に興味を持った際に、その興味を持った画面に触れることにより、あるいは入力部に設けられた所定のボタンを操作することにより、その内容よりもさらに具体的な内容が表示されることを特徴とする請求項１２に記載の双方向リモコン装置。
【請求項１８】
表示部に表示される内容を操作者の意思に関係なく自動的に、あるいはコンテンツ情報の提供者の意志に基づいて強制的に表示することが可能に構成されていることを特徴とする請求項１２に記載の双方向リモコン装置。
【請求項１９】
表示部が複数の画面からなり、各画面で異なる内容を表示させることができることを特徴とする請求項１２に記載の双方向リモコン装置。
【発明の詳細な説明】
【技術分野】
【０００１】
本発明は、被制御装置と双方向に通信する双方向リモコン装置に関するものである。
【背景技術】
【０００２】
従来、デジタル技術の発展に伴い放送用映像、音声、データ信号をデジタル信号として一元的に扱い、通信衛星等を利用して放送を行うデジタル放送サービスが実用化されている。
【０００３】
また、ＭＰＥＧ等の圧縮多重化技術の発展に伴い、非常に多くのチャンネルの放送を提供することが可能となり、このような複数チャンネルの中から視聴者が希望の番組が選択できるように電子番組ガイドサービスも実用化されている。
【０００４】
この電子番組ガイドサービスは、放送番組や放送予定番組の番組名、放送局名、簡単な番組内容、出演者等の情報を提供するサービスであり、放送予定番組の検索や、放送予定番組の中から簡単に録画予約できる機能も有している。
【０００５】
そして、視聴者は、この電子番組ガイドをテレビ画面に表示させて、テレビ画面を見ながらリモコン操作により一覧表示や検索や録画予約の操作、設定等を行うことができるようになっている。
【０００６】
また、最近は電子番組ガイドサービス以外にも各種サービスが提案されており、テレビ画面を見ながらリモコン操作を行うことにより、各種サービスを受けることができるようになっている。
【０００７】
なお、この出願の発明に関連する先行技術文献情報としては、例えば、特許文献１が知られている。
【特許文献１】特開平１０−２７１３５９号公報
【発明の開示】
【発明が解決しようとする課題】
【０００８】
しかしながら、従来のリモコンでは、電子番組ガイドサービス等の各種サービスを利用しようとすると、サービス内容をテレビ画面に表示させた上で、リモコン操作により各種設定等を行う必要があり、それまで視聴していた番組の邪魔をしてしまうものであり、例え画面の一部だけを使用して操作することができたとしても、それまでその番組を視聴していた人にどうしても不快感を与えるものであった。
【０００９】
本発明は上記課題を解決するためのものであり、電子番組ガイドサービス等の各種サービスを利用する際に、サービス内容をテレビ画面に表示させることなく、手元にあるリモコン上に表示させながら各種設定等を行うことにより各種サービスを受けることができる双方向リモコン装置を実現することを目的とする。
【課題を解決するための手段】
【００１０】
上記目的を達成するために、本発明の双方向リモコン装置は、被制御装置を介してコンテンツ情報を受信するための受信部と、前記受信部で受信した前記コンテンツ情報に基づきその内容を表示するための表示部と、前記表示部に表示された情報に基づき操作者が選択指示するための入力部と、前記入力部の入力情報に基づき前記被制御装置を操作するための操作情報を送信する送信部と、前記受信部と前記表示部と前記送信部を制御する制御部とから構成されている。
【００１１】
この構成により、操作者が前記表示部に表示されたコンテンツ情報の中から所望のコンテンツを選択指示することにより、前記表示部にその所望のコンテンツの内容を文字情報または静止画または動画またはそれらの組み合わせ情報として表示させることができるものである。
【発明の効果】
【００１２】
以上のように、本発明によれば、操作者がリモコンの表示部上に表示されたコンテンツ情報の中から所望のコンテンツを選択指示することにより、その表示部上にその所望のコンテンツの内容を文字情報または静止画または動画またはそれらの組み合わせ情報として表示させることができるため、リモコンとしての操作性、利便性をより高めることができる。
【発明を実施するための最良の形態】
【００１３】
（実施の形態１）
以下、実施の形態１を用いて、本発明の特に請求項１〜４に記載の発明について説明する。
【００１４】
図１は本発明の双方向リモコン装置の実施の形態をデジタル放送用の受信装置に適用した場合を示すブロック図である。
【００１５】
図１において双方向リモコン装置１０は電子番組ガイドデータおよび放送番組データを受信する受信部１３と、操作情報を送信する送信部１２と、受信した動画像等の放送番組データを復号処理する動画像復号処理部１４と、電子番組ガイドデータまたは放送番組データまたはリモコン制御用のＧＵＩを表示する表示部１６と、表示部１６を制御する表示制御部１５と、ユーザーからの操作情報を入力するＫＥＹ入力部１７と、これらを制御するＣＰＵ１１とから構成されている。
【００１６】
デジタル放送受信装置２０は放送信号を選択受信するチューナー部２４と、受信した放送信号を復調処理する復調部２５と、多重化されたＭＰＥＧ ＴＳ信号の分離処理を行うＭＰＥＧ ＴＳ多重化分離部２６と、ＭＰＥＧの復号処理を行うＭＰＥＧ復号部２７と、動画または画像または文字などを合成した表示画面の作成処理を行う画面合成処理部２８と、映像信号をテレビに出力する映像出力コネクタ部２９と、放送波から受信したＭＰＥＧ信号を双方向リモコン装置１０に送信するための形式に変換する動画像変換部３０と、電子番組ガイドデータおよび放送番組データを送信する送信部２２と、操作情報を受信する受信部２３と、これらを制御するＣＰＵ２１とから少なくとも構成されている。
【００１７】
以上のような構成において、双方向リモコン装置１０の表示部１６に電子番組ガイドおよび放送番組を表示するまでのフローを図２を用いて説明する。
【００１８】
ＫＥＹ入力部１７は複数のリモコンＫＥＹまたはタッチパネルの入力操作によりＣＰＵ１１にＫＥＹ入力信号ｓ１１を伝える。ＣＰＵ１１は電源投入時またはＫＥＹ入力部１７からの電子番組ガイド表示のＫＥＹ入力信号受信時または周期時間経過時のいずれかのタイミングで電子番組ガイド表示要求が発生し、ＣＰＵ１１は電子番組ガイドデータ取得操作情報ｓ１６を送信部１２に伝える。送信部１２は電子番組ガイドデータ取得操作情報ｓ１６をＲＦ信号に変換してデジタル放送受信装置２０の受信部２３に送信する。
【００１９】
一方、デジタル放送受信装置２０では受信部２３が受信したＲＦ信号をもとに、ＣＰＵ２１は双方向リモコン装置１０からの電子番組ガイドデータ取得操作情報ｓ２９を受信し、これによりＣＰＵ２１はＭＰＥＧ ＴＳ多重化分離部２６から電子番組ガイドデータを含むＰＳＩ／ＳＩテーブル情報ｓ２７を取得し、これを基にＣＰＵ２１は電子番組ガイドデータｓ２８を送信部２２に伝える。送信部２２は電子番組ガイドデータｓ２８をＲＦ信号に変換して双方向リモコン装置１０の受信部１３に送信する。
【００２０】
双方向リモコン装置１０は受信部１３が受信したＲＦ信号を基に、ＣＰＵ１１は電子番組ガイドデータｓ１５を受信し、このデータから構成した電子番組ガイド画面ｓ１２を表示制御部１５に伝え、さらに表示部１６に表示する。
【００２１】
ＫＥＹ入力部１７からの放送番組表示のＫＥＹ入力操作はＣＰＵ１１に伝えられ、ＣＰＵ１１は送信部１２に放送番組データ取得操作情報を伝え、送信部１２は放送番組データ取得操作情報をＲＦ信号に変換してデジタル放送受信装置２０に送信する。
【００２２】
デジタル放送受信装置２０では受信部２３が受信したＲＦ信号を基に、ＣＰＵ２１は双方向リモコン装置１０からの放送番組データ取得操作情報を受信し、ＣＰＵ２１はチューナー部２４を制御して要求された放送番組データを含む放送信号を選択し、得られたＭＰＥＧ ＴＳ信号を動画像変換部３０で変換して放送番組データを作成し、ＣＰＵ２１は放送番組データを送信部２２に伝え、送信部２２は放送番組データをＲＦ信号に変換して双方向リモコン装置１０の受信部１３に送信する。
【００２３】
双方向リモコン装置１０は受信部１３が受信したＲＦ信号を基に、ＣＰＵ１１は放送番組データを受信し、動画像復号処理部１４に伝え、得られた放送番組動画像データを表示制御部１５に伝え、さらに表示部１６に表示する。
【００２４】
図３は双方向リモコン装置１０の電子番組ガイドデータ表示におけるフローチャートである。
【００２５】
図４はデジタル放送受信装置２０の電子番組ガイドデータ送信におけるフローチャートである。
【００２６】
図５は双方向リモコン装置１０の放送番組表示におけるフローチャートである。
【００２７】
図６はデジタル放送受信装置２０の放送番組データ送信におけるフローチャートである。
【００２８】
以上、説明したように本発明の実施の形態１では、双方向リモコン装置１０の操作に従って、デジタル放送受信装置２０が放送信号より取り出した電子番組ガイドおよび放送番組データを双方向リモコン装置１０に送信し、双方向リモコン装置１０の表示部１６上に電子番組ガイドまたは放送番組またはそれらの組み合わせとして表示させることが出来るため、リモコンとしての操作性、利便性をより高めることが出来る。
【００２９】
（実施の形態２）
以下、実施の形態２を用いて、本発明の特に請求項５〜６に記載の発明について説明する。
【００３０】
図７は本発明の双方向リモコン装置の実施の形態を録画再生装置に適用した場合を示すブロック図である。
【００３１】
図７において双方向リモコン装置１０はコンテンツ情報およびコンテンツ動画像データを受信する受信部１３と、操作情報を送信する送信部１２と、受信したコンテンツ動画像データを復号処理する動画像復号処理部１４と、コンテンツ情報から作成した目次情報またはコンテンツ動画像またはリモコン制御用のＧＵＩを表示する表示部１６と、表示部１６を制御する表示制御部１５と、ユーザーからの操作情報を入力するＫＥＹ入力部１７と、これらを制御するＣＰＵ１１とから構成されている。
【００３２】
録画再生装置４０はコンテンツ動画像データを記録するデータ記録部４４と、データ記録部４４に対してコンテンツ動画像データの書き込みおよび読み取りを行うデータ録画再生部４５と、コンテンツ動画像の再生処理を行う動画像処理部４６と、動画または画像または文字などを合成した表示画面の作成処理を行う画面合成処理部４７と、映像信号をテレビに出力する映像出力コネクタ部４８と、データ録画再生部から取り出したコンテンツ動画像データを双方向リモコン装置１０に送信するための形式に変換する動画像変換部４９と、コンテンツ情報およびコンテンツ動画像データを送信する送信部４２と、操作情報を受信する受信部４３と、これらを制御するＣＰＵ４１とから少なくとも構成されている。
【００３３】
以上のような構成において、双方向リモコン装置１０の表示部１６にコンテンツ情報およびコンテンツ動画像データを表示するまでのフローを図８を用いて説明する。
【００３４】
ＫＥＹ入力部１７は複数のリモコンＫＥＹまたはタッチパネルの入力操作によりＣＰＵ１１にＫＥＹ入力信号ｓ１１を伝える。ＣＰＵ１１は電源投入時またはＫＥＹ入力部からの目次情報表示のＫＥＹ入力信号受信時または周期時間経過時のいずれかのタイミングで目次情報表示要求が発生し、ＣＰＵ１１はコンテンツ情報取得操作情報ｓ１６を送信部１２に伝える。送信部１２はコンテンツ情報取得操作情報ｓ１６をＲＦ信号に変換して録画再生装置４０の受信部４３に送信する。
【００３５】
一方、録画再生装置４０では受信部４３が受信したＲＦ信号を基に、ＣＰＵ４１は双方向リモコン装置１０からのコンテンツ情報取得操作情報ｓ４９を受信し、これによりＣＰＵ４１はデータ録画再生部４５からコンテンツ情報ｓ４７を取得し、これを基にＣＰＵ４１はコンテンツ情報ｓ４８を送信部４２に伝える。送信部４２はコンテンツ情報ｓ４８をＲＦ信号に変換して双方向リモコン装置１０の受信部１３に送信する。
【００３６】
双方向リモコン装置１０は受信部１３が受信したＲＦ信号を基に、ＣＰＵ１１はコンテンツ情報ｓ１５を受信し、このデータから構成した目次情報画面ｓ１２を表示制御部１５に伝え、さらに表示部１６に表示する。
【００３７】
ＫＥＹ入力部１７からのコンテンツ動画像再生のＫＥＹ入力操作はＣＰＵ１１に伝えられ、ＣＰＵ１１は送信部１２にコンテンツ動画像再生操作情報を伝え、送信部１２はコンテンツ動画像再生操作情報をＲＦ信号に変換して録画再生装置４０に送信する。
【００３８】
録画再生装置４０では受信部４３が受信したＲＦ信号を基に、ＣＰＵ４１は双方向リモコン装置１０からのコンテンツ動画像再生操作情報を受信し、ＣＰＵ４１はデータ録画再生部４５を制御して要求されたコンテンツ動画像データを読み出し、得られたコンテンツ動画像信号を動画像変換部４９で変換してコンテンツ動画像データを作成し、ＣＰＵ４１はコンテンツ動画像データを送信部４２に伝え、送信部４２はコンテンツ動画像データをＲＦ信号に変換して双方向リモコン装置１０の受信部１３に送信する。
【００３９】
双方向リモコン装置１０は受信部１３が受信したＲＦ信号を基に、ＣＰＵ１１はコンテンツ動画像データを受信し、動画像復号処理部１４に伝え、得られたコンテンツ動画像を表示制御部１５に伝え、さらに表示部１６に表示する。
【００４０】
以上、説明したように本発明の実施の形態２では、双方向リモコン装置１０の操作に従って、録画再生装置４０がコンテンツ情報およびコンテンツ動画像データを双方向リモコン装置１０に送信し、双方向リモコン装置１０の表示部１６上に目次情報またはコンテンツ動画像またはそれらの組み合わせとして表示させることが出来るため、リモコンとしての操作性、利便性をより高めることが出来る。
【００４１】
（実施の形態３）
以下、実施の形態３を用いて、本発明の特に請求項８に記載の発明について説明する。
【００４２】
図９は本発明の双方向リモコン装置を用いてカメラ装置の制御およびカメラ映像表示を行う場合のブロック図である。
【００４３】
図９において双方向リモコン装置１０はカメラ状態情報およびカメラ映像を受信する受信部１３と、操作情報を送信する送信部１２と、受信したカメラ映像を復号処理する動画像復号処理部１４と、カメラ状態またはカメラ映像またはその組み合わせ画面を表示する表示部１６と、表示部１６を制御する表示制御部１５と、ユーザーからの操作情報を入力するＫＥＹ入力部１７と、これらを制御するＣＰＵ１１とから構成されている。
【００４４】
カメラ装置５０は映像を撮影する撮像部５４と、撮影した映像を画像処理する動画像処理部５５と、撮像部５４を制御するカメラ制御部５１と、カメラ状態情報およびカメラ映像を送信する送信部５２と、操作情報を受信する受信部５３とから少なくとも構成されている。
【００４５】
以上のような構成において、双方向リモコン装置１０は送信部１２からカメラ装置５０のアングル制御またはズーム制御またはピント制御などの制御操作情報を送信することによりカメラ装置５０を操作し、また受信部１３からカメラ状態情報またはカメラ映像を受信することにより表示部１６にカメラ状態またはカメラ映像またはこれらの組み合わせ画像を表示させることができる。
【００４６】
（実施の形態４）
以下、実施の形態４を用いて、本発明の特に請求項９〜１０に記載の発明について説明する。
【００４７】
図１０は双方向リモコン装置の構成画面図である。
【００４８】
図１０において双方向リモコン装置１０はタッチパネルを備えた表示部１６と、１つまたは複数のＫＥＹ入力を行うためのボタンから少なくとも構成される。表示部１６には電子番組ガイドを表示するＥＰＧタブ、放送番組を表示するＴＶタブ、ビデオ動画像を表示するビデオタブ、無料のサービス情報または有料のサービス情報を表示するＩｎｆｏ．タブ、通信パラメータおよび表示パラメータ等を設定するシステム設定タブ６２等が描画される。ＥＰＧタブには電子番組ガイド６０と文字情報または静止画または動画またはそれらの組み合わせで構成されるＣＭ情報６１が描画され、ＣＭ情報６１を選択することにより詳細なＣＭ情報が表示される。さらに、このＣＭ情報の表示／非表示はシステム設定タブ６２で設定することが可能である。
【００４９】
（実施の形態５）
以下、実施の形態５を用いて、本発明の特に請求項１１に記載の発明について説明する。
【００５０】
図１１において双方向リモコン装置１０は表示部１６に無料のサービス情報または有料のサービス情報であるクーポン券を表示している。また図１２において双方向リモコン装置１０は表示部１６に無料のサービス情報または有料のサービス情報である地図を表示している。
【００５１】
以上、説明したように本発明の実施の形態５では、双方向リモコン装置１０を操作し、表示部１６に無料のサービス情報または有料のサービス情報を表示させることが出来るため、従来のリモコンとしての機能に加え、有用な情報入手を行える装置とすることが出来る。
【００５２】
（実施の形態６）
以下、実施の形態６を用いて本発明の特に請求項１２〜１９に記載の発明について説明する。本実施の形態はこれまで説明してきた双方向リモコン装置において、特にコンテンツ情報としてビデオ・オン・デマンド（ＶＯＤ）サービスをより快適に利用できるように工夫を加えたものである。
【００５３】
ビデオ・オン・デマンド（ＶＯＤ）サービスとは、決められた時間に決められた番組が放送される従来のテレビ放送と違い、ユーザーが要求した時間に要求した番組を、インタラクティブな操作（番組選択、放映の開始、中断、早送り等）を通して供給される双方向マルチメディアサービスである。
【００５４】
一般にこの種のサービスを受けようとすると、どのような番組がサービスされているのかをユーザーが知る必要があり、そのためユーザーがわざわざ番組情報専門のチャンネルにアクセスを行い、ＴＶディスプレイを通じて、プレビュー放送を見る必要がある。また見たい番組を決めた後もさらにＴＶディスプレイを通じてその番組購入画面に移行して所定の操作を行う必要がある。
【００５５】
従って、従来のサービス方法ではユーザーが何かしらの映画等の番組を視聴しようとしても、多数存在するチャンネルの中から選択を行い、視聴を行う必要があり、ユーザーにとって非常に手間な作業となっていた。
【００５６】
また、新作の映画等の番組情報を得るには、定期的に番組情報を取得しなければならず、わざわざ所定チャンネルまでアクセスする必要があり、ユーザーの購買意欲が低減してしまうとともに、情報を配信する側にとってもユーザーの手を煩わすことなく新しい情報を提供する方法がなかった。なお、番組情報をＴＶディスプレイに常時表示させることが一つの解決手段となるが、常時表示はユーザーにとっては非常に目障りになってしまうものであった。
【００５７】
そこで、本実施の形態はユーザーが何かしらのリモコン操作を行うことにより、リモコンの液晶部にビデオ・オン・デマンドの番組情報の表示を行うようにさせたものである。
【００５８】
これにより、ユーザーは煩わしい操作をすることなく最新の番組情報がリモコンを介して得られるとともに、非常に簡単な操作によりＴＶディスプレイ側のＶＯＤサービス購入画面に到達することができ、ユーザーのビデオ・オン・デマンドサービス購買意欲も高めることができる。また情報配信者にとってもユーザーの操作に関係なく購入してもらいたい情報をある面一方的に配信することができ、ユーザーの拡大を図ることができる。
【００５９】
次に、本実施の形態のより具体的な内容を図面を用いて説明する。
【００６０】
図１３は同実施の形態の双方向リモコン装置の画面構成を示した模式図である。１６は双方向リモコン装置１０に設けられた液晶とタッチパネルからなる表示部である。表示部１６には番組タイトル６３およびその番組の動画情報６４、および番組購入処理を行う画面に移行するためのタッチ部６５で画面が構成されている。
【００６１】
なお、本実施の形態では、リモコン本体に触れるだけで、あるいはさらにパネル操作やキー操作を実際に行った時点で、自動的に情報配信者からの宣伝用の番組情報を受け取って、表示部１６に表示させるように構成されており、これらの設定は自由に変更できるとともに、設定を解除することもできるように構成されている。
【００６２】
次に、この双方向リモコン装置の動作説明を図１４を用いて説明する。
【００６３】
図１４は同実施の形態の双方向リモコン装置の動作を説明するためのフローチャート
である。まず、ユーザーにより何らかのリモコン操作が行われると（Ｓｔｅｐ１）、表示部１６に自動的に番組情報が表示される（Ｓｔｅｐ２）。このとき、情報表示時間計測のためのタイマがセットされるが（Ｓｔｅｐ３）、ユーザーが表示部１６に表示されている番組情報を気に入れば、あるいはもう少し詳しい情報が知りたければ、ユーザーによる操作により番組購入画面あるいは詳細情報画面へと移行していくことになる（Ｓｔｅｐ４）。
【００６４】
ここで、ユーザーが自動配信された番組情報に興味がなく、番組購入画面や詳細情報場面への移行操作が行われなかった場合（Ｓｔｅｐ５）、ユーザーによる次の自動配信番組情報の要求があれば、先にセットされたタイマを再セットしなおし（Ｓｔｅｐ５→Ｓｔｅｐ３）、ユーザーの操作を待つ。またユーザーが上記操作のいずれも行わなかった場合には、Ｓｔｅｐ３でセットされたタイマのチェックが行われ、所定の時間を経過していなければＳｔｅｐ４に自動的に戻って次の自動配信番組情報が表示される（Ｓｔｅｐ６）。
【００６５】
そして、所定時間が経過してタイムアウトとなった場合、表示部１６に表示されていた番組情報の表示を終了させる（Ｓｔｅｐ７）。この時、双方向リモコン装置１０は待機状態となり（Ｓｔｅｐ８）、これにより必要以上に表示部への表示を行わせないようにすることができ、双方向リモコン装置１０の消費電力を抑えることができる。
【００６６】
このように、この表示部１６に番組情報が表示されてから所定時間経過後、あるいはユーザーによる最後のリモコン操作から所定時間経過後、自動的にこの表示を終了させるように構成されているため、双方向リモコン装置１０の消費電力を抑えることができる。
【００６７】
なお、表示部１６に表示されるビデオ・オン・デマンドの番組情報にて、動画データを含む一つの番組情報の表示が終了した場合、自動的に次の番組情報表示に切り替わるように構成されている。これにより、ユーザーに常に新しい番組情報を提供することができる。
【００６８】
また、表示部１６に表示される内容は図１５のように動画だけでなく、動画・静止画・文字情報を組み合わせたものを利用することにより、より明確な情報をユーザーに与えることができる。さらに、番組送りボタン６８と静止画情報６７を使うことにより、ユーザーが見たい番組を選択して番組動画情報６４を見ることができる。これらの構成を利用することによりユーザーの購買意欲をさらに高めることができる。
【００６９】
この具体的な構成と動作を図面を用いて説明すると、図１５は同実施の形態の他の双方向リモコン装置の画面構成を示した模式図である。１６は双方向リモコン装置１０に設けられた液晶とタッチパネルからなる表示部である。表示部１６には番組タイトル６３および番組購入処理を行う画面に移行するためのタッチ部６５、および番組の動画情報６４、文字情報６６、静止画情報６７、および静止画情報等の番組送りボタン６８で構成されている。
【００７０】
ユーザーによるリモコン操作により、表示部１６に図１５のような構成が表示される。番組動画情報６４は自動的に動き出し、番組動画情報が終了すれば自動的に次の番組動画情報に移ることができる。また、番組送りボタン６８を操作することにより、表示部１６に表示される番組静止画情報を切り替えることができ、任意の画像を表示部１６のタッチパネル機能などの操作によって選択することで、任意の番組動画情報を視聴することができる。この番組動画情報や静止画情報、文字情報などにより購入を行いたい番組があれば番組購入処理タッチ部を操作することにより、所定の番組購入画面に移行することができる。
【００７１】
これにより、ユーザーは無意識のうちに最新の番組情報をＴＶディスプレイを使うことなく、容易な方法で視聴することができる。そのため、ユーザーは気軽に情報を取得する機会が増え、さらに容易な操作により容易に番組購入を行うことができる。
【００７２】
なお、表示部１６にて番組動画情報、文字情報、静止画情報の表示画面を上に重ね合わせるように表示することにより、表示部１６の表示面積を小さくすることができる。
【００７３】
また、ユーザーは双方向リモコン装置１０にて、容易な所定の操作を行うことで、表示部１６にて、さらに詳細なビデオ・オン・デマンド番組情報を取得することや、ＴＶディスプレイでのビデオ・オン・デマンド番組情報画面に容易に移行することができる。これによって、ユーザーは容易に番組情報を取得することができ、ユーザーの購買意欲を高めることができる。
【００７４】
また、動画データ表示時に音声の有無や音量を選択することができる。これにより通常は動画情報を適切な音声の音量にて視聴することができ、また別番組をＴＶディスプレイで視聴中など動画データの音声が不必要なときには無音声にできる。これによりユーザーに対して不快感を与えないようにすることができる。
【００７５】
また、リモコン上に表示する様々なデータを双方向通信により事前に取得し、蓄えておくことで動画データを扱う際に、動画データのビットレート以下の通信速度を有する双方向通信を利用することができる。
【００７６】
また、動画データのビットレート以上の通信速度を有する双方向通信を利用することで、リアルタイムにデータを取得できるため、リモコン内のデータの蓄積のためのメモリを小さくすることができる。
【産業上の利用可能性】
【００７７】
本発明の双方向リモコン装置は、電子番組ガイドサービスやビデオ・オン・デマンドサービス等の各種サービスを利用する際に、サービス内容をテレビ画面に表示させることなく、手元にあるリモコンの表示画面上に表示させながら各種設定・操作を行って各種サービスを受ける際に、非常に有用なものである。
【図面の簡単な説明】
【００７８】
【図１】本発明に係る双方向リモコン装置の実施の形態をデジタル放送用の受信装置に適用した場合を示すブロック図
【図２】双方向リモコン装置とデジタル放送受信装置が双方向通信を行い、電子番組ガイドまたは放送番組を表示するフローチャート
【図３】双方向リモコン装置の電子番組ガイドを表示するフローチャート
【図４】デジタル放送受信装置の電子番組ガイドデータ送信のフローチャート
【図５】双方向リモコン装置の放送番組表示のフローチャート
【図６】デジタル放送受信装置の放送番組データ送信のフローチャート
【図７】本発明に係る双方向リモコン装置の実施の形態を録画再生装置に適用した場合を示すブロック図
【図８】双方向リモコン装置と録画再生装置が双方向通信を行い、コンテンツ情報およびコンテンツ動画像データを表示するフローチャート
【図９】本発明に係る双方向リモコン装置の実施の形態をカメラ装置に適用した場合を示すブロック図
【図１０】双方向リモコン装置の画面構成図
【図１１】双方向リモコン装置上にクーポン券を表示した画面構成図
【図１２】双方向リモコン装置上に地図を表示した画面構成図
【図１３】双方向リモコン装置の画面構成を示す模式図
【図１４】双方向リモコン装置の動作を説明するためのフローチャート
【図１５】他の双方向リモコン装置の画面構成を示す模式図
【符号の説明】
【００７９】
１０  双方向リモコン装置
１１  双方向リモコン装置用ＣＰＵ
１２  双方向リモコン装置用送信部
１３  双方向リモコン装置用受信部
１４  動画像復号処理部
１５  表示制御部
１６  表示部
１７  ＫＥＹ入力部
２０  デジタル放送受信装置
２１  デジタル放送受信装置用ＣＰＵ
２２  デジタル放送受信装置用送信部
２３  デジタル放送受信装置用受信部
２４  チューナー部
２５  復調部
２６  ＭＰＥＧ ＴＳ多重化分離部
２７  ＭＰＥＧ 復号部
２８  画面合成処理部
２９  映像出力コネクタ部
３０  動画像変換部
４０  録画再生装置
４１  録画再生装置用ＣＰＵ
４２  録画再生装置用送信部
４３  録画再生装置用受信部
４４  データ記録部
４５  データ録画再生部
４６  動画像処理部
４７  画面合成処理部
４８  映像出力コネクタ部
４９  動画像変換部
５０  カメラ装置
５１  カメラ制御部
５２  カメラ装置用送信部
５３  カメラ装置用受信部
５４  撮像部
５５  動画像処理部
６０  電子番組ガイド
６１  ＣＭ情報
６２  システム設定タブ
【図１】
2004266799.tif 000003
【図２】
2004266799.tif 000004
【図３】
2004266799.tif 000005
【図４】
2004266799.tif 000006
【図５】
2004266799.tif 000007
【図６】
2004266799.tif 000008
【図７】
2004266799.tif 000009
【図８】
2004266799.tif 000010
【図９】
2004266799.tif 000011
【図１０】
2004266799.tif 000012
【図１１】
2004266799.tif 000013
【図１２】
2004266799.tif 000014
【図１３】
2004266799.tif 000015
【図１４】
2004266799.tif 000016
【図１５】
2004266799.tif 000017